(57)【要約】【課題】狭い場所や凹凸の多い地面等に落ちている散乱物を捕捉できる安全で操作が容易な散乱物キャッチ装置を提供する。【解決手段】上記課題を解決するために本発明の散乱物キャッチ装置１は、片手で持って操作可能な突刺し式の散乱物キャッチ装置であって、軸方向Ｘに延びる軸部２ａと、軸部２ａの基端側に設けられる把持部２ｂと、軸部２ａの先端側に設けられる複数の突刺し部２ｃとを有する突刺し本体部２と、前記軸部２ａに対して、軸方向Ｘにスライド自在に取り付けられ、前記突刺し部２ｃの被覆と突刺し部２ｃに突き刺さった散乱物Ｗの離脱を行うカバー３と、を備えることによって構成されている。【選択図】図１
2014031669.tif 000002
【特許請求の範囲】
【請求項１】
地面（ＧＬ）等に落下し散乱している落ち葉等の散乱物（Ｗ）を捕捉するのに好適な片手で持って操作可能な突刺し式の散乱物キャッチ装置において、
軸方向（Ｘ）に延びる軸部（２ａ）と、該軸部（２ａ）の基端側に設けられる把持部（２ｂ）と、該軸部（２ａ）の先端側に設けられる複数の突刺し部（２ｃ）とを有する突刺し本体部（２）と、
前記突刺し本体部（２）の軸部（２ａ）に対して、軸方向（Ｘ）にスライド自在に取り付けられ、前記突刺し部（２ｃ）の被覆と該突刺し部（２ｃ）に突き刺さった散乱物（Ｗ）の離脱を行うカバー（３）と、を備え、
使用時には、前記カバー（３）を前記軸部（２ａ）の基端側へスライドさせることにより、前記突刺し部（２ｃ）を前記カバー（３）から露出させて散乱物（Ｗ）を捕捉可能な状態にし、
不使用時及び前記散乱物（Ｗ）の離脱時には、前記カバー（３）を前記軸部（２ａ）の先端側へスライドさせることにより、前記突刺し部（２ｃ）を前記カバー（３）で被覆すると共に、前記カバー（３）の先端部の押圧面を散乱物（Ｗ）に当接させて前記突刺し部（２ｃ）から散乱物（Ｗ）を離脱させるようにしたことを特徴とする、散乱物キャッチ装置。
【請求項２】
地面（ＧＬ）等に落下し散乱している落ち葉等の散乱物（Ｗ）を捕捉するのに好適な片手で持って操作可能な突刺し式の散乱物キャッチ装置において、
軸方向（Ｘ）に延びる軸部（２ａ）と、該軸部（２ａ）の基端側に設けられる把持部（２ｂ）と、該軸部（２ａ）の先端側に設けられる複数の突刺し部（２ｃ）とを有する突刺し本体部（２）と、
前記突刺し本体部（２）の軸部（２ａ）に対して、軸方向（Ｘ）にスライド自在に取り付けられ、前記突刺し部（２ｃ）の被覆と該突刺し部（２ｃ）に突き刺さった散乱物（Ｗ）の離脱を行うカバー（３）と、
前記突刺し本体部（２）と前記カバー（３）との間に設けられ、前記カバー（３）を常時、前記突刺し部（２ｃ）を被覆する方向に付勢する付勢手段（４）と、を備え、
使用時には、前記カバー（３）を前記付勢手段（４）の付勢力に抗して前記軸部（２ａ）の基端側へスライドさせることにより、前記突刺し部（２ｃ）を前記カバー（３）から露出させて散乱物（Ｗ）を捕捉可能な状態にし、
不使用時及び前記散乱物（Ｗ）の離脱時には、前記カバー（３）を前記付勢手段（４）の不勢力で前記軸部（２ａ）の先端側へスライドさせることにより、前記突刺し部（２ｃ）を前記カバー（３）で被覆すると共に、前記カバー（３）の先端部の押圧面を散乱物（Ｗ）に当接させて前記突刺し部（２ｃ）から散乱物（Ｗ）を離脱させるようにしたことを特徴とする、散乱物キャッチ装置。
【請求項３】
請求項１又は２記載の散乱物キャッチ装置において、
前記カバー（３）は、前記突刺し部（２ｃ）を収容可能な長さと内径を有する軸方向（Ｘ）に延びる本体部（３ａ）と、
前記本体部（３ａ）の基端部に設けられ、前記カバー（３）が突出位置（Ｘ１）に移動した時に前記突刺し部（２ｃ）の基端部に内壁面（５ａ）の一部を当接させることで前記カバー（３）の突出方向へのそれ以上の移動を規制する第１ストッパー（５）と、
前記本体部（３ａ）の先端部に設けられ、前記カバー（３）が引込み位置（Ｘ２）に移動した時に前記突刺し部（２ｃ）の基端部に内壁面（６ａ）の一部を当接させることで前記カバー（３）の引込み方向へのそれ以上の移動を規制する第２ストッパー（６）と、を備え、
前記第２ストッパー（６）の外壁面（６ｂ）が前記押圧面になっており、該第２ストッパー（６）には、前記複数の突刺し部（２ｃ）と嵌合する前記内壁面（６ａ）と外壁面（６ｂ）との間を貫通する複数の貫通孔（６ｃ）が設けられていることを特徴とする、散乱物キャッチ装置。
【請求項４】
請求項３記載の散乱物キャッチ装置において、
前記カバー（３）の先端部に設けられる貫通孔（６ｃ）の長さ（ｔ＝ｔ２）は、前記突刺し部（２ｃ）先端の尖端部（２１）の長さ（Ｓ）よりも長くなる（ｔ２＞Ｓ）ように設定されていることを特徴とする、散乱物キャッチ装置。
【請求項５】
請求項１又は２記載の散乱物キャッチ装置において、
前記カバー（３）には、前記突刺し本体部（２）の把持部（２ｂ）側に延びる操作ロッド（７）が一体に設けられていることを特徴とする、散乱物キャッチ装置。
【請求項６】
請求項１又は２記載の散乱物キャッチ装置において、
前記突刺し本体部（２）とカバー（３）との間には、前記突刺し本体部（２）とカバー（３）との相対位置を固定するロック機構（８）が設けられていることを特徴とする、散乱物キャッチ装置。
【請求項７】
請求項５記載の散乱物キャッチ装置において、
前記ロック機構（８）は、前記カバー（３）を引込み位置（Ｘ２）に移動させた時に前記突刺し本体部（２）に対して設けられる第１の係合部（８ａ）を前記カバー（３）に対して設けられる第２の係合部（８ｂ）に凹凸係合させることによって前記カバー（３）の移動位置を固定するように構成されていることを特徴とする、散乱物キャッチ装置。
【請求項８】
請求項１又は２記載の散乱物キャッチ装置において、
前記突刺し部（２ｃ）は、前記軸部（２ａ）よりも小径の先端が尖った棒状部材によって構成されており、
前記軸部（２ａ）の外周面に沿わせて等間隔に複数本配置されていることを特徴とする、散乱物キャッチ装置。
【請求項９】
請求項１又は２記載の散乱物キャッチ装置において、
前記突刺し本体部（２）は金属製材料によって形成されており、前記カバー（３）は合成樹脂材料又は金属製材料によって形成されていることを特徴とする、散乱物キャッチ装置。
【請求項１０】
請求項１又は２記載の散乱物キャッチ装置において、
前記突刺し本体部（２）の把持部（２ｂ）から突刺し部（２ｃ）先端の尖端部（２１）までの長さ（Ｌ）は、作業者が腰を屈めることなく、散乱物Ｗを捕捉できる長さに設定されていることを特徴とする、散乱物キャッチ装置。
【発明の詳細な説明】
【技術分野】
【０００１】
本発明は、地面等に落下し散乱している落ち葉等の散乱物を捕捉するのに好適な片手で持って操作可能な突刺し式の散乱物キャッチ装置に関する。
【背景技術】
【０００２】
従来から、地面等に落下し散乱している落ち葉等の散乱物を捕捉する場合には、熊手や箒等を利用してかき集めたり、人手やスチール製のゴミばさみ等を使用して一枚、一枚拾い集めることが一般に多く行われている。
しかし、土の地面では草が生えていたり、小石や砂利等があって上述した熊手や箒等では、落ち葉等をうまくかき集めることができない場合があった。
【０００３】
又、人手による場合には腰を屈めての作業になるため、長時間の作業では作業者にかかる負担が大きくなるし、ゴミばさみ等を使用した作業では、散乱物の形状や大きさによってはうまく掴めない場合もあった。
又、下記の特許文献１に示すように多数の針を落ち葉等に突き刺して使用する突刺し式の落ち葉拾い具も提案されている。この落ち葉拾い具には、落ち葉等を突き刺して捕捉するのに使用する露出した多数の針と、当該針に付いた落ち葉等を払い落とすための移動体が備えられている。
【先行技術文献】
【特許文献】
【０００４】
【特許文献１】実開平６−５７１１４号公報
【発明の概要】
【発明が解決しようとする課題】
【０００５】
・  しかし、上記特許文献１に開示されている落ち葉拾い具は、芝生や苔が広範囲に敷き詰められているような比較的広い面積の庭園等での使用を前提にしているため大型であり、針の数も極めて多くなっている。  
従って、狭い場所やコーナ部等での使用、凹凸や穴部あるいは溝部等がある地面での使用には不向きな構造になっていた。
【０００６】
（２）又、上記落ち葉拾い具では、使用する場合と使用しない場合の両方で常時、針が露出しているため、十分な注意を怠ると思わぬ怪我を招きかねないし、大型であることから重量も重くなり、庭先や庭の地面等に散乱している散乱物の捕捉に使用するには手軽さに欠け、作業者にかかる負担も多大なものになってしまう。
【０００７】
そこで、本発明が解決しようとする課題を要約すると、狭い場所や凹凸の多い地面等に適用できる安全で手軽に使用できる落ち葉等の散乱物の捕捉に好適な突刺し式の散乱物キャッチ装置を提供することである。
【課題を解決するための手段】
【０００８】
上記課題を解決するために、本発明の請求項１記載の散乱物キャッチ装置は、地面（ＧＬ）等に落下し散乱している落ち葉等の散乱物（Ｗ）を捕捉するのに好適な片手で持って操作可能な突刺し式の散乱物キャッチ装置において、軸方向（Ｘ）に延びる軸部（２ａ）と、該軸部（２ａ）の基端側に設けられる把持部（２ｂ）と、該軸部（２ａ）の先端側に設けられる複数の突刺し部（２ｃ）とを有する突刺し本体部（２）と、前記突刺し本体部（２）の軸部（２ａ）に対して、軸方向（Ｘ）にスライド自在に取り付けられ、前記突刺し部（２ｃ）の被覆と該突刺し部（２ｃ）に突き刺さった散乱物（Ｗ）の離脱を行うカバー（３）と、を備え、使用時には、前記カバー（３）を前記軸部（２ａ）の基端側へスライドさせることにより、前記突刺し部（２ｃ）を前記カバー（３）から露出させて散乱物（Ｗ）を捕捉可能な状態にし、不使用時及び前記散乱物（Ｗ）の離脱時には、前記カバー（３）を前記軸部（２ａ）の先端側へスライドさせることにより、前記突刺し部（２ｃ）を前記カバー（３）で被覆すると共に、前記カバー（３）の先端部の押圧面を散乱物（Ｗ）に当接させて前記突刺し部（２ｃ）から散乱物（Ｗ）を離脱させることを特徴とする。
【０００９】
又、本発明の請求項２記載の散乱物キャッチ装置は、地面（ＧＬ）等に落下し散乱している落ち葉等の散乱物（Ｗ）を捕捉するのに好適な片手で持って操作可能な突刺し式の散乱物キャッチ装置において、軸方向（Ｘ）に延びる軸部（２ａ）と、該軸部（２ａ）の基端側に設けられる把持部（２ｂ）と、該軸部（２ａ）の先端側に設けられる複数の突刺し部（２ｃ）とを有する突刺し本体部（２）と、前記突刺し本体部（２）の軸部（２ａ）に対して、軸方向（Ｘ）にスライド自在に取り付けられ、前記突刺し部（２ｃ）の被覆と該突刺し部（２ｃ）に突き刺さった散乱物（Ｗ）の離脱を行うカバー（３）と、前記突刺し本体部（２）と前記カバー（３）との間に設けられ、前記カバー（３）を常時、前記突刺し部（２ｃ）を被覆する方向に付勢する付勢手段（４）と、を備え、使用時には、前記カバー（３）を前記付勢手段（４）の付勢力に抗して前記軸部（２ａ）の基端側へスライドさせることにより、前記突刺し部（２ｃ）を前記カバー（３）から露出させて散乱物（Ｗ）を捕捉可能な状態にし、不使用時及び前記散乱物（Ｗ）の離脱時には、前記カバー（３）を前記付勢手段（４）の不勢力で前記軸部（２ａ）の先端側へスライドさせることにより、前記突刺し部（２ｃ）を前記カバー（３）で被覆すると共に、前記カバー（３）の先端部の押圧面を散乱物（Ｗ）に当接させて前記突刺し部（２ｃ）から散乱物（Ｗ）を離脱させるようにしたことを特徴とする。
【００１０】
又、前記カバー（３）は、前記突刺し部（２ｃ）を収容可能な長さと内径を有する軸方向（Ｘ）に延びる本体部（３ａ）と、前記本体部（３ａ）の基端部に設けられ、前記カバー（３）が突出位置（Ｘ１）に移動した時に前記突刺し部（２ｃ）の基端部に内壁面（５ａ）の一部を当接させることで前記カバー（３）の突出方向へのそれ以上の移動を規制する第１ストッパー（５）と、前記本体部（３ａ）の先端部に設けられ、前記カバー（３）が引込み位置（Ｘ２）に移動した時に前記突刺し部（２ｃ）の基端部に内壁面（６ａ）の一部を当接させることで前記カバー（３）の引込み方向へのそれ以上の移動を規制する第２ストッパー（６）と、を備え、前記第２ストッパー（６）の外壁面（６ｂ）が前記押圧面になっており、該第２ストッパー（６）には、前記複数の突刺し部（２ｃ）と嵌合する前記内壁面（６ａ）と外壁面（６ｂ）との間を貫通する複数の貫通孔（６ｃ）が設けられていてもよい。
【００１１】
又、前記カバー（３）の先端部に設けられる貫通孔（６ｃ）の長さ（ｔ＝ｔ１又はｔ２）は、前記突刺し部（２ｃ）先端の尖端部（２１）の長さ（Ｓ）よりも長くなる（ｔ２＞Ｓ）ように設定されていてもよい。
【００１２】
又、前記カバー（３）には、前記突刺し本体部（２）の把持部（２ｂ）側に延びる操作ロッド（７）が一体に設けられていてもよい。
【００１３】
又、前記突刺し本体部（２）とカバー（３）との間には、前記突刺し本体部（２）とカバー（３）との相対位置を固定するロック機構（８）が設けられていてもよい。
【００１４】
又、前記ロック機構（８）は、前記カバー（３）を引込み位置（Ｘ２）に移動させた時に前記突刺し本体部（２）に対して設けられる第１の係合部（８ａ）を前記カバー（３）に対して設けられる第２の係合部（８ｂ）に凹凸係合させることによって前記カバー（３）の移動位置を固定するように構成されていてもよい。
【００１５】
又、前記突刺し部（２ｃ）は、前記軸部（２ａ）よりも小径の先端が尖った棒状部材によって構成されており、前記軸部（２ａ）の外周面に沿わせて等間隔に複数本配置されていてもよい。
【００１６】
又、前記突刺し本体部（２）は金属製材料によって形成されており、前記カバー（３）は合成樹脂材料又は金属製材料によって形成されていてもよい。
【００１７】
又、前記突刺し本体部（２）の把持部（２ｂ）から突刺し部（２ｃ）先端の尖端部（２１）までの長さ（Ｌ）は、作業者が腰を屈めることなく、散乱物Ｗを捕捉できる長さに設定されていてもよい。
【発明の効果】
【００１８】
本発明の散乱物キャッチ装置によれば、次に示す効果がある。
（１）先ず、片手で持って操作可能な散乱物キャッチ装置としたことにより、狭い場所やコーナー部等での散乱物の捕捉が可能になり、散乱物キャッチ装置が軽量になるから作業者にかかる負担が軽減される。又、突刺し式の散乱物キャッチ装置としたことにより、落ち葉のように平面的で不定形な掴みにくい散乱物であっても突き刺すだけで簡単に捕捉することができる。
【００１９】
又、突刺し本体部の軸部に対して軸方向にスライド自在のカバーを備えているから、使用時には、カバーを軸部の基端側へスライドさせることによって、突刺し部をカバーから露出させて散乱物の捕捉を行うことが可能になる。  
一方、不使用時には、カバーを軸部の先端側へスライドさせることによって突刺し部を被覆できるから安全であり、散乱物の離脱時には、カバーを軸部の先端側へスライドさせることによってカバーの先端部の押圧面を突き刺した散乱物に当接させて散乱物を突刺し部から離脱させることが可能になる。
【００２０】
・  又、上記突刺し本体部とカバーとの間に常時、突刺し部を被覆する方向に上記カバーを付勢する付勢手段を備える構成を採用した場合には、当該付勢手段の付勢力で突刺し部がカバーによって被覆されるから突刺し部が露出することなく安全である。  
又、一旦、軸部の基端側へスライドさせたカバーを軸部の先端側へスライドさせる場合には、上記付勢手段の付勢力が直接的にあるいは補助的にカバーに作用するから、当該カバーのスライド操作が容易になる。
【００２１】
（３）又、上記カバーを上記突刺し部を収容可能な長さと内径を有する軸方向に延びる本体部と、該本体部の基端部に設けられる第１ストッパーと、該本体部の先端部に設けられる第２ストッパーと、を備えることによって構成した場合には、上記カバーを突出位置と引込み位置の間で所定ストローク移動できるようになり、カバーを突出位置に移動させた状態では、上記突刺し部をすっぽりとカバーで覆って被覆することが可能になる。  
又、上記第２ストッパーに対して上記複数の突刺し部と嵌合する複数の貫通孔を設けた場合には、突刺し部とカバーとの自由な相対移動を可能にし、貫通孔が突刺し部を支承する軸受としても機能するから上記突刺し部とカバーとの相対移動が軸方向に沿うようになって円滑になる。  
又、上記第２ストッパーの外壁面は、突刺し部によって捕捉された散乱物を突刺し部から離脱させる押圧面としても機能するから、上記カバーの突出位置に向けてのスライド動作によって突刺し部に突き刺さって捕捉された散乱物を突刺し部から離脱させて取り除くことが可能になる。
【００２２】
（４）又、上記カバーの先端部に設けられる貫通孔の長さを、上記突刺し部先端の尖端部の長さよりも長くなるように設定した場合には、当該カバーを突出位置に移動させた状態でも貫通孔の一部が尖端部以外の突刺し部の軸部を支承することになるから、カバーを突出位置に移動させた時の突刺し部先端の暴れが防止され、突刺し部の姿勢の安定性を向上させて、穿刺部の出し入れ操作が円滑になる。
【００２３】
（５）又、上記カバーに対して、突刺し本体部の把持部側に延びる操作ロッドを一体に設けた場合には、上述したカバーと突刺し部の相対移動を腰を屈めることなく把持部に近い位置で操作ロッドを操作して実行することが可能になる。
【００２４】
（６）又、上記突刺し本体部とカバーとの間に、突刺し本体部とカバーとの相対位置を固定するロック機構を設けた場合には、使用時乃至不使用時における突刺し本体部とカバー間の不用意な相対移動を防止することが可能になる。
【００２５】
（７）又、上記ロック機構を、突刺し本体部に対して設けられる第１の係合部と、カバーに対して設けられる第２の係合部とを凹凸係合させることによって、カバーを引込み位置に移動させた位置で固定するように構成した場合には、比較的簡単な構造で操作が容易なロック機構を構成できるようになり、カバーを引込み位置に移動させた時の不用意なカバーの移動を防止することが可能になる。
【００２６】
（８）又、上記突刺し部を、軸部よりも小径の先端が尖った棒状部材によって構成し、当該軸部の外周面に沿わせて等間隔に複数本配置した場合には、複数の突刺し部に散乱物を突き刺して捕捉する捕捉作用面積が小さくなり、小さな散乱物の捕捉や小さな凹部または穴部に落下したり、幅の小さな溝に落下した散乱物の捕捉が可能になる。
【００２７】
（９）又、上記突刺し本体部を金属製材料によって形成し、上記カバーを合成樹脂材料又は金属製材料によって形成した場合には、種々の条件に耐えられる剛性の高い突刺し本体部と、散乱物キャッチ装置全体での軽量化とコストの削減とに寄与し得るカバーと、を備えた散乱物キャッチ装置を提供できるようになる。
【００２８】
（１０）又、上記突刺し本体部の把持部から突刺し部先端の尖端部までの長さを作業者が腰を屈めることなく、散乱物を捕捉できる長さに設定した場合には、腰を屈めた無理な姿勢での長時間に及ぶ散乱物の捕捉作業を防止でき、効率的で作業者の負担が少ない散乱物の捕捉作業が可能になる。
【図面の簡単な説明】
【００２９】
【図１】本発明の第１の実施の形態を示す図で、散乱物キャッチ装置の使用状態を示す斜視図である。
【図２】本発明の第１の実施の形態を示す図で、散乱物キャッチ装置を示す分解斜視図である。
【図３】本発明の第１の実施の形態を示す図で、散乱物キャッチ装置を示すカバーが突出位置に位置している時の側面図である。
【図４】本発明の第１の実施の形態を示す図で、散乱物キャッチ装置を示すカバーが引込み位置に位置している時の側面図である。
【図５】本発明の第１の実施の形態を示す図で、散乱物キャッチ装置を示す図３中のＡ部の拡大側断面図である。
【図６】本発明の第１の実施の形態を示す図で、散乱物キャッチ装置を示す図４中のＢ部の拡大側面図である。
【図７】本発明の第１の実施の形態を示す図で、散乱物キャッチ装置を示す先端側の端面図である。
【図８】本発明の第２の実施の形態を示す図で、散乱物キャッチ装置の先端部を破断して示す側面図である。
【図９】本発明の第３の実施の形態を示す図で、散乱物キャッチ装置を示すカバーが突出位置に位置している時の側面図である。
【図１０】本発明の第３の実施の形態を示す図で、散乱物キャッチ装置を示すカバーが引込み位置に位置している時の側面図である。
【図１１】本発明の第３の実施の形態を示す図で、散乱物キャッチ装置を示す図９中のＣ部の拡大側断面図である。
【図１２】本発明の第３の実施の形態を示す図で、散乱物キャッチ装置を示す図１０中のＤ部の拡大側面図である。
【図１３】本発明の第３の実施の形態を示す図で、ロック機構の一例を示す平面図（ａ）と、ロック前の側断面図（ｂ）とロック時の側断面図（ｃ）である。
【図１４】本発明の第４の実施の形態を示す図で、散乱物キャッチ装置を示すカバーが突出位置に位置している時の側面図である。
【図１５】本発明の第４の実施の形態を示す図で、散乱物キャッチ装置を示すカバーが引込み位置に位置している時の側断面図である。
【図１６】本発明の第４の実施の形態を示す図で、ロック機構の他の一例を示すカバーが突出位置に位置している時の平面図（ａ）と、カバーが中間位置に位置している時の平面図（ｂ）と、カバーが引込み位置に位置している時の平面図（ｃ）と、カバーが中間位置に位置している時の横断面図（ｄ）である。
【発明を実施するための形態】
【００３０】
以下、本発明に係る散乱物キャッチ装置の構造と作動態様を図１乃至図７に示す第１の実施の形態と、図８に示す第２の実施の形態と、図９乃至図１３に示す第３の実施の形態と、図１４乃至図１６に示す第４の実施の形態との４つの実施の形態を例にとって具体的に説明する。  
尚、本発明の散乱物キャッチ装置１は、土や芝生の地面ＧＬ等に落下し散乱している落ち葉等の散乱物Ｗを捕捉するのに好適な片手で持って操作可能な突刺し式の散乱物キャッチ装置である。
【００３１】
具体的には、図１及び図２中、軸方向Ｘに延びる軸部２ａと、該軸部２ａの基端側に設けられる把持部２ｂと、該軸部２ａの先端側に設けられる複数の突刺し部２ｃとを有する突刺し本体部２と、上記突刺し本体部２の軸部２ａに対して、軸方向Ｘにスライド自在に取り付けられ、上記突刺し部２ｃの被覆と該突刺し部２ｃに突き刺さった散乱物Ｗの離脱を行うカバー３と、を備えることによって本発明の散乱物キャッチ装置１は基本的に構成されている。  
そして、本発明の散乱物キャッチ装置１は、使用時には上記カバー３を軸部２ａの基端側へスライドさせることにより、上記突刺し部２ｃをカバー３から露出させて散乱物Ｗを捕捉可能な状態にする。
【００３２】
一方、不使用時及び散乱物Ｗの離脱時には、上記カバー３を軸部２ａの先端側へスライドさせることにより、上記突刺し部２ｃをカバー３で被覆すると共に、上記カバー３の先端部の押圧面を散乱物Ｗに当接させて上記突刺し部２ｃから散乱物Ｗを離脱する。  
尚、本発明の散乱物キャッチ装置１で捕捉する散乱物Ｗとしては、突刺し部２ｃによって突き刺すことが可能な種々の大きさと形状の散乱物、例えば地面ＧＬ等に落ちている落ち葉や木の実あるいは、紙屑や布切れ、ビニール袋等が適用可能である。
【００３３】
（１）第１の実施の形態（図１乃至図７参照）
第１の実施の形態に係る散乱物キャッチ装置１Ａは、一例として直径が６ｍｍ程度のステンレス、アルミニウム、鉄等の金属製の直尺な丸棒を、突刺し本体部２の軸部２ａ及び把持部２ｂを形成する材料として使用しており、当該丸棒の直線部分を軸部２ａとして使用し、該軸部２ａの一端を図３及び図４に示すような湾曲したループ形状に折り曲げることで把持部２ｂを形成している。
【００３４】
又、上記軸部２ａの先端側の外周面には、該軸部２ａの直径よりも小径（一例として３ｍｍ程度）の軸部２ａと同じく金属製の長尺な丸棒材料によって形成される突刺し部２ｃが上記軸部２ａの外周面に沿わせて等間隔（１２０°間隔）に３本配置されており、溶接等によって上記軸部２ａと一体に取り付けられている。  
又、上記３本の突刺し部２ｃの先端部は、散乱物Ｗに突き刺し易いように先端に行くに従って細くなるテーパ形状に加工されており、当該テーパ形状に加工された部分を本明細書では尖端部２１と定義している。
【００３５】
尚、このように構成される突刺し本体部２の上記把持部２ｂから尖端部２１までの長さＬ（図４）は、作業者が腰を屈めることなく、散乱物Ｗを捕捉することができる長さ（一例として９００ｍｍ程度）に設定されている。  
又、上記突刺し部２ｃの長さＭは、一例として１８０ｍｍ程度に設定されており、尖端部２１の長さＳ（図５）は、一例として１０ｍｍ程度に設定されている。
【００３６】
一方、カバー３は、一例として合成樹脂材料又はステンレス、アルミニウム、鉄等の金属材料によって形成されており、円筒形状の本体部３ａと、該本体部３ａの基端部に設けられる第１ストッパー５と、該本体部３ａの先端部に設けられる第２ストッパー６と、を備えることによって基本的に構成されている。  
本体部３ａは、一例として内径が約１２ｍｍ、外径が約１４ｍｍ、長さＱが２００ｍｍ程度の円筒形状の部材である。従って、この本体部３ａによって上述した突刺し部２ｃをすっぽりと覆い隠すことができるように構成されている。
【００３７】
第１ストッパー５は、上述した本体部３ａの基端部を先窄まり形状に加工することによって一例として構成されており、最も基端寄りでは、その内径が上記軸部２ａの外径と同じ６ｍｍ程度に縮径されていて、上記軸部２ａの外周面に摺接することで軸方向Ｘにカバー３を移動させる際のガイドの１つとして機能するように構成されている。  
そして、この第１ストッパー５は、カバー３が図３及び図５に示すように突出位置Ｘ１に移動した時に上記３本の突刺し部２ｃの基端部に第１ストッパー５の内壁面５ａの一部を当接させることでカバー３の突出位置Ｘ１を設定し、カバー３の突出方向へのそれ以上の移動を規制する役割を有している。
【００３８】
第２ストッパー６は、上述した本体部３ａの先端部の開口を閉塞する部材で、一例として幾分肉厚な円板形状のキャップ様の部材によって構成されている。  
又、第２ストッパー６には、上述した３本の突刺し部２ｃと嵌合する内壁面６ａと外壁面６ｂとの間を貫通する３つの貫通孔６ｃが軸方向Ｘに沿って平行に周方向に等間隔（１２０°間隔）で形成されている。  
尚、上記貫通孔６ｃの長さｔは、本実施の形態では図５に示すように上述した尖端部２１の長さＳより短い長さｔ１（ｔ１＜Ｓ；図５）に一例として設定されている。
【００３９】
又、この第２ストッパー６は、カバー３が図４及び図６に示す引込み位置Ｘ２に移動した時に上記突刺し部２ｃの基端部に第２ストッパー６の内壁面６ａの一部を直接、あるいは図示しない別途の中間部材を介して当接させることでカバー３の引込み位置Ｘ２を設定し、カバー３の引込み方向へのそれ以上の移動を規制する役割を有している。そして、上記突出位置Ｘ１と引込み位置Ｘ２との間の距離がカバー３の移動ストロークＮ（図６）となっており、本実施の形態では一例として１００ｍｍ程度に設定されている。  
又、この第２ストッパー６の外壁面６ｂは、突刺し部２ｃに突き刺した散乱物Ｗを該突刺し部２ｃから離脱させるために押し出す押圧面になっており、この第２ストッパー６は、捕捉した散乱物Ｗを突刺し部２ｃから離脱する役割も併せ持っている。  
更に、上記貫通孔６ｃは、軸方向Ｘにカバー３を移動させる際のガイドとしても機能している。
【００４０】
そして、このようにして構成される第１の実施の形態に係る散乱物キャッチ装置１Ａを使用して地面ＧＬ等に落下し、散乱している散乱物Ｗを捕捉する場合には、図１に示すように片手で突刺し本体部２の把持部２ｂを持って捕捉する散乱物Ｗに狙いを定めて上方から突き刺すようにして当該散乱物Ｗを捕捉する。  
図６に示す如く、散乱物Ｗが突刺し部２ｃに突き刺さると、カバー３を押し上げて突刺し部２ｃを露出させる。そして、露出した突刺し部２ｃの長さ分の散乱物Ｗが捕捉された時や必要な量の散乱物Ｗの捕捉が行われた時に、上記カバー３の本体部３ａを持って下方に押し下げれば、上述した第２ストッパー６の外壁面６ｂによって押し出されるようにして、上記突刺し部２ｃに突き刺さった散乱物Ｗは、当該突刺し部２ｃから離脱されて所定の場所に集められている。
【００４１】
又、本実施の形態に係る散乱物キャッチ装置１Ａを使用しない場合には、突刺し本体部２の把持部２ｂを例えば部屋の壁に設けた吊り下げ具等に引っ掛けて吊り下げておけば、カバー３は自重によって図３、図５中に示す突出位置Ｘ１に移動するからカバー３によって被覆されて突刺し部２ｃが露出することが防止される。  
尚、３本の突刺し部２ｃの先端部を、カバー３の移動の妨げにならない範囲で幾分、軸部２ａの軸中心の外方（半径方向）に反らせておくことも可能である。このようにすれば突刺し部２ｃと貫通孔６ｃ間の摩擦抵抗によってカバー３を任意の移動位置で簡易固定できるから、カバー３を突出位置Ｘ１に移動させた状態で横に倒した姿勢で保管しても突刺し部２ｃの尖端部２１が不用意に露出することはない。
【００４２】
このようにして構成される本実施の形態に係る散乱物キャッチ装置１Ａによれば、狭い場所やコーナー部、凹部や穴部あるいは溝のある凹凸のある地面ＧＬ等に落下し、散乱している落ち葉等の散乱物Ｗを効率良く、無理の無い姿勢で捕捉することが可能になる。  
又、手持ち式のコンパクトで軽量な構造の散乱物キャッチ装置１Ａとしたことにより、作業者にかかる負担を軽減し長時間に及ぶ散乱物Ｗの捕捉作業にも対応できるようになる。又、突き刺すだけで散乱物Ｗを捕捉できるから掴みにくい形状の散乱物Ｗの捕捉も可能になる。
【００４３】
（２）第２の実施の形態（図８参照）
第２の実施の形態に係る散乱物キャッチ装置１Ｂは、前述した第１の実施の形態に係る散乱物キャッチ装置１Ａと基本的に同様の構成を有しており、第２ストッパー６の構成の一部のみが前述した第１の実施の形態と相違している。  
従って、ここでは前述した第１の実施の形態と同様の構成については説明を省略し、第１の実施の形態と相違する第２ストッパー６の構成を中心にして説明する。尚、図８では第１の実施の形態と同様の構成については、第１の実施の形態で使用したのと同じ符号を使用している。
【００４４】
即ち、本実施の形態では、図８に示す如く、第２ストッパー６に形成されている貫通孔６ｃの長さｔが突刺し部２ｃの尖端部２１の長さＳよりも長いｔ２（ｔ２＞Ｓ）に設定されている。  
従って、カバー３を図８中の突出位置Ｘ１に移動させた状態では、貫通孔６ｃの内周面によって突刺し部２ｃの軸部２２が支承されるようになるから、前述した第１の実施の形態と同様の作用、効果に加えて、カバー３を上記突出位置Ｘ１に移動させた時の突刺し部２ｃの先端の暴れを防止して突刺し部２ｃの姿勢の安定性を向上させ且つ穿刺し部２ｃの出し入れ操作も容易になるという別途の作用、効果が発揮される。
【００４５】
（３）第３の実施の形態（図９乃至図１３参照）
第３の実施の形態に係る散乱物キャッチ装置１Ｃは、前述した第１の実施の形態に係る散乱物キャッチ装置１Ａの構成に付勢手段４（図９−図１２）とロック機構８（図１１−図１３）の２つの構成を追加した構成になっている。  
従って、ここでは前述した第１の実施の形態と同様の構成については説明を省略し、本実施の形態において新たに追加した付勢手段４とロック機構８の構成と作動態様を中心に説明する。尚、図９乃至図１３では第１の実施の形態と同様の構成については、第１の実施の形態で使用したのと同じ符号を使用している。
【００４６】
即ち、本実施の形態では、前述した突刺し本体部２とカバー３との間にカバー３を常時、突刺し部２ｃを被覆する方向に付勢する付勢手段４が備えられている。付勢手段４は、一例として圧縮コイルスプリングによって構成されており、前述した軸部２ａの先端面２３（図１１）と、前述した第２ストッパー６の内壁面６ａ（図１１）と、前述した３本の突刺し部２ｃによって囲まれた空間に縮設されている。  
一方、ロック機構８は、突刺し本体部２とカバー３との相対位置を固定する機構で、本実施の形態ではカバー３を、図１２中の引込み位置Ｘ２に引き込み移動させた時に上記突刺し本体部２に対して設けられる第１の係合部８ａ（図１３）をカバー３に対して設けられる第２の係合部８ｂ（図１３）に凹凸係合させることによってカバー３の移動位置を固定する構成が採用されている。
【００４７】
具体的には、図１３に示すようにカバー３の第１ストッパー５が設けられている部位に、内方に突出するように付勢された弾性押圧舌片２４を形成し、該弾性押圧舌片２４の摺接軌道Ｙ上における軸部２ａの外周面の適宜の位置に上記弾性押圧舌片２４と凹凸係合する凹陥部２５を設けた構成が一例として採用可能である。尚、図示の構成の場合には上記弾性押圧舌片２４が第２の係合部８ｂになり、上記凹陥部２５が第１の係合部８ａとなる。
【００４８】
そして、このような構成の本実施の形態に係る散乱物キャッチ装置１Ｃを使用して地面ＧＬ等に落下している散乱物Ｗを捕捉する場合には、最初にカバー３の本体部３ａを持って、カバー３を付勢手段４の付勢力に抗して引込み位置Ｘ２に向けて移動させる（図１０及び図１２）。  
カバー３が引込み位置Ｘ２に達すると図１３（Ｃ）に示すように第２の係合部８ｂである弾性押圧舌片２４が第１の係合部８ａである凹陥部２５に凹凸係合して、カバー３の移動が規制され、ロック状態になる。
【００４９】
次に、前記第１の実施の形態と同様、片手で突刺し本体部２の把持部２ｂを持って捕捉する散乱物Ｗに狙いを定めて上方から突き刺すようにして散乱物Ｗを捕捉する。  
そして、所定量の散乱物Ｗが捕捉されたら、カバー３の本体部３ａを持って下方に少し押し下げると、カバー３は図１３（ｃ）の位置から図１３（ｂ）の位置まで移動する間に弾性押圧舌片２４が凹陥部２５から外れて、カバー３の移動のロックが解除される。以下、付勢手段４の付勢力によって当該カバー３は突出位置Ｘ１に向けて付勢的に移動される。
【００５０】
又、カバー３が突出位置Ｘ１へ向けて移動することにより、突刺し部２ｃに突き刺さって捕捉された散乱物Ｗは、第２ストッパー６の外壁面６ｂに当接して下方に押し出され、当該突刺し部２ｃから離脱されて所定の場所に集められる。
又、散乱物Ｗが離脱された後は、付勢手段４の付勢力によって上記カバー４は突刺し部２ｃを被覆する突出位置Ｘ１へ自動的に移動してその状態が保持されるから、本実施の形態に係る散乱物キャッチ装置１Ｃを使用しない場合には、そのままの状態で壁に吊り下げたり、横に倒した状態で保管することが可能になっている。
【００５１】
そして、このようにして構成される本実施の形態に係る散乱物キャッチ装置１Ｃによっても、前述した第１の実施の形態と同様の作用、効果が発揮され、更に本実施の形態にあっては、付勢手段４の採用によって、カバー３の引込み位置Ｘ２から突出位置Ｘ１に向けての移動の自動化又は省力化が図られるようになり、散乱物キャッチ装置１Ｃの操作性が向上する。  
又、ロック機構８の採用によって、カバー３を引込み位置Ｘ２で保持することが可能になり、一旦捕捉された散乱物Ｗが上記付勢手段４の付勢力によって、勝手に突刺し部２ｃから離脱して下方に飛散する事態を防止することが可能になる。
【００５２】
（４）第４の実施の形態（図１４乃至図１６参照）
第４の実施の形態に係る散乱物キャッチ装置１Ｄは、前述した第１の実施の形態に係る散乱物キャッチ装置１Ａの構成に、前述した第３の実施の形態とは別のロック機構８（図１４−図１６）と操作ロッド７（図１４−図１６）とを追加した構成になっている。  
従って、ここでは前述した第１の実施の形態と同様の構成については説明を省略し、本実施の形態において新たに追加した操作ロッド７とロック機構８の構成と作動態様を中心に説明する。尚、図１４乃至図１６では第１の実施の形態と同様の構成については、第１の実施の形態で使用したのと同じ符号を使用している。
【００５３】
即ち、本実施の形態では、上記カバー３の第１ストッパー５（図１４、図１５）が設けられている基端部から上記突刺し本体部２の把持部２ｂに向けて延びる操作ロッド７が上記カバー３と一体に設けられており、当該操作ロッド７と突刺し本体部２との間にロック機構８が設けられている。  
具体的には、図１４−図１６に示すようにカバー３の基端部から把持部２ｂに向けて直線的に延びる延長ロッド７ａと、該延長ロッド７ａの先端部を一例として９０°外方に折り曲げた形状の操作部７ｂとを備えた一例として金属製の丸棒によって形成される操作ロッド７が設けられている。
【００５４】
又、突刺し本体部２の把持部２ｂ寄りの軸部２ａには、当該軸部２ａに外嵌固定される一例として円筒状のスリーブ２６が設けられており、該スリーブ２６には図１６に示すように軸方向Ｘに延びる長穴状の案内溝部２７が形成されている。  
又、上記案内溝部２７の両端には、スリーブ２６の周方向に向きを変えて所定の長さ延びる係止溝部２８ａ、２８ｂが連続的に形成されており、これらの案内溝部２７と係止溝部２８ａ、２８ｂに対してスリーブ２６内に延長ロッド７ａの一部が挿嵌された上記操作ロッド７の操作部７ｂが係合して移動できるように構成されている。
【００５５】
尚、本実施の形態では上記操作部７ｂが前述した第２の係合部８ｂになり、上記案内溝部２７と係止溝部２８ａ、２８ｂが前述した第１の係合部８ａになっており、上記操作部７ｂと案内溝部２７と係止溝部２８ａ、２８ｂとによってロック機構８が構成されている。  
そして、このような構成の本実施の形態に係る散乱物キャッチ装置１Ｄを使用して地面ＧＬ等に落下している散乱物Ｗを捕捉する場合には、最初に操作ロッド７の操作部７ｂを持って、把持部２ｂ側に一杯に移動させ、図１６（Ｃ）に示すように操作部７ｂの基部が案内溝部２７の基端部に達したところでスリーブ２６の周方向のロック解除位置Ｐ１からロック位置Ｐ２（図１６（ｄ））に操作部７ｂを回動させて係止溝部２８ｂに操作部７ｂの基部を進入させて係止させる。
【００５６】
この状態では、カバー３の軸方向Ｘへの移動が規制されるから、カバー３は引込み位置Ｘ２に位置した状態で保持されることになる。  
次に、前記第１の実施の形態と同様、片手で突刺し本体部２の把持部２ｂを持って捕捉する散乱物Ｗに狙いを定めて上方から突き刺すようにして散乱物Ｗを捕捉する。
【００５７】
そして、所定量の散乱物Ｗが捕捉されたら、再び操作部７ｂを持ってスリーブ２６の周方向のロック位置Ｐ２からロック解除位置Ｐ１に操作部７ｂを回動させて操作部７ｂの基部を案内溝部２７に位置させる。  
更に、そのまま操作部７ｂを持って図１６（ｂ）に示すようにカバー３側に操作ロッド７を移動させると、操作部７ｂの基部は案内溝部２７に案内されて当該カバー３は突出位置Ｘ１に達するようになり、当該突刺し部２ｃに突き刺さって捕捉されていた散乱物Ｗは突刺し部２ｃから離脱されて所望の位置に集められる。
【００５８】
更に、この状態でスリーブ２６の周方向のロック解除位置Ｐ１からロック位置Ｐ２に操作部７ｂを回動させると、図１６（ａ）に示すように操作部７ｂの基部は案内溝部２７から係止溝部２８ａへと向きを変えて移動し、当該係止溝部２８ａに進入した操作部７ｂの基部を係止してカバー３を突出位置Ｘ１に位置させた状態で保持する。  
又、本実施の形態に係る散乱物キャッチ装置１Ｄを使用しない場合には、そのままの状態で壁に吊り下げたり、横に倒した状態で保管することが可能になっている。
【００５９】
そして、このようにして構成される本実施の形態に係る散乱物キャッチ装置１Ｄによっても、前述した第１の実施の形態と同様の作用、効果が発揮され、更に本実施の形態にあっては、ロック機構８の採用によって、カバー３を引込み位置Ｘ２と突出位置Ｘ１の両方で保持することが可能になる。  
又、操作部７ｂが把持部２ｂに近い位置に設けられていることにより、カバー３の移動操作やロック機構８によるロック乃至ロック解除操作を腰を屈めることなく、散乱物Ｗを捕捉姿勢のまま、操作を切り替えて実行することが可能になる。
【００６０】
以上が本発明の基本的な実施の形態であるが、本発明の散乱物キャッチ装置１は、前述した実施の形態に限定されるものではなく、本発明の要旨を逸脱しない範囲内の部分的構成の変更や省略、あるいは当業者において周知、慣用の技術を追加することが可能である。  
例えば、突刺し本体部２の数は、前述した実施の形態のように３本設ける場合に限られない。従って、２本でもよいし、４本以上設けることも可能である。  
又、突刺し本体部２の軸部２ａを多重管構造等、当該軸部２ａの長さを調整できるように構成することも可能である。そして、その場合には、調整した軸部２ａの長さを固定するための固定手段を突刺し本体部２に設けることが可能である。
【００６１】
又、付勢手段４の構造や付勢手段４を設ける位置は、前述した第３の実施の形態で述べた構造と位置に限られない。従って、空気バネやゴム状の弾性体を使用した構造であってもよいし、軸部２ａの途中に設けたバネ座と前記第１ストッパー５との間に付勢手段４を配置した構成等を採用することも可能である。  
この他、ロック機構８の構造も前述した第３の実施の形態と第４の実施の形態で述べた構造に限らず、ネジ式やクランプ式等、種々の構造のロック機構８を採用することが可能である。
【産業上の利用可能性】
【００６２】
本発明は、地面等に落下し散乱している落ち葉等の散乱物を捕捉するのに使用される突刺し式の散乱物キャッチ装置の製造、使用分野等で利用でき、特に狭い場所や凹凸の多い地面等に落ちている散乱物を捕捉できる安全で操作が容易な散乱物キャッチ装置を提供したい場合に利用可能性を有する。
【符号の説明】
【００６３】
１  散乱物キャッチ装置
２  突刺し本体部
２ａ  軸部
２ｂ  把持部
２ｃ  突刺し部
３  カバー
３ａ  本体部
４  付勢手段
５  第１ストッパー
５ａ  内壁面
６  第２ストッパー
６ａ  内壁面
６ｂ  外壁面
６ｃ  貫通孔
７  操作ロッド
７ａ  延長ロッド
７ｂ  操作部
８  ロック機構
８ａ  第１の係合部
８ｂ  第２の係合部
２１  尖端部
２２  軸部
２３  先端面
２４  弾性押圧舌片
２５  凹陥部
２６  スリーブ
２７  案内溝部
２８  係止溝部
Ｘ  軸方向
Ｘ１  突出位置
Ｘ２  引込み位置
ＧＬ  地面
Ｗ  散乱物
ｔ  長さ
Ｓ  長さ
Ｌ  長さ
Ｍ  長さ
Ｑ  長さ
Ｙ  摺接軌道
Ｎ  移動ストローク
Ｐ１  ロック解除位置
Ｐ２  ロック位置
【図１】
2014031669.tif 000003
【図２】
2014031669.tif 000004
【図３】
2014031669.tif 000005
【図４】
2014031669.tif 000006
【図５】
2014031669.tif 000007
【図６】
2014031669.tif 000008
【図７】
2014031669.tif 000009
【図８】
2014031669.tif 000010
【図９】
2014031669.tif 000011
【図１０】
2014031669.tif 000012
【図１１】
2014031669.tif 000013
【図１２】
2014031669.tif 000014
【図１３】
2014031669.tif 000015
【図１４】
2014031669.tif 000016
【図１５】
2014031669.tif 000017
【図１６】
2014031669.tif 000018